(57)【要約】【課題】機種変更等に際し、シールド板を交換することなく共通で使用可能な遊技機を提供する。【解決手段】機裏側に設けた機構セット盤２８にノイズ発生源としての電源制御装置２１を配設すると共に、該電源制御装置２１と前後に重なる位置関係でパチンコ機全体を制御する主制御装置２０が位置するよう配置する。また、電源制御装置２１からのノイズを遮断するシールド板５７を合成樹脂製の固定部材３８に配設し、この固定部材３８を機構セット盤２８に形成した取付部３２に取付けた際に、該シールド板５７が主制御装置２０と電源制御装置２１との間に位置するよう構成した。【選択図】図３
2006025995.tif 000002
【特許請求の範囲】
【請求項１】
機裏側に設けた機構セット盤に各種電気部品の制御装置を着脱自在に配設し、ノイズ発生源からのノイズによる該制御装置の誤作動を、ノイズ遮断用の金属製シールド板により防止するようにした遊技機において、
前記シールド板を合成樹脂製の固定部材に配設すると共に、
前記機構セット盤に形成した取付部に前記固定部材を取付けることで、前記シールド板を前記制御装置とノイズ発生源との間に位置させるよう構成した
ことを特徴とする遊技機。
【請求項２】
前記ノイズ発生源は、前記制御装置と少なくとも一部が前後に重なる位置関係で対向配置された第２の制御装置である請求項１記載の遊技機。
【請求項３】
前記固定部材には、一方の側部から突出する第１突出部と、他方の側部に設けられて該他方の側部から突出する第１位置および該他方の側部から突出しない第２位置に変位し、常には付勢手段により第１位置で保持される第２突出部とが設けられ、
前記取付部は、前記第１突出部を挿入可能で、該第１突出部を係止する第１孔部と、前記第２突出部を挿入可能で、該第２突出部を係止する第２孔部とを有し、
前記固定部材の第１突出部を前記取付部の第１孔部に挿入した状態で、前記第２位置に変位させた第２突出部を前記第２孔部に臨ませ、この状態で第２突出部を第１位置に変位させて第２孔部に挿入することで、前記固定部材が取付部に取付けられる請求項１または２記載の遊技機。
【請求項４】
前記機構セット盤は、後方に向けて突出形成された第１の係合部を有し、
前記制御装置は、一方の側部に形成されて前記第１の係合部と係脱自在な第２の係合部と、他方の側部に突出形成された第３突出部とを備え、
前記固定部材には、前記制御装置の第３突出部を挿入可能で、該第３突出部を係止する第３孔部が形成されて、
前記固定部材を前記機構セット盤の取付部に取付けた状態で、前記第３突出部を前記第３孔部に挿入すると共に、前記第１の係合部と第２の係合部とを係合することで、前記制御装置を機構セット盤に配設するよう構成される請求項１〜３の何れかに記載の遊技機。
【発明の詳細な説明】
【技術分野】
【０００１】
本発明は、遊技機に関し、更に詳細には、機裏側に設けた機構セット盤に、各種遊技部品を電気的に制御する制御装置が配設される遊技機に関するものである。
【背景技術】
【０００２】
例えば遊技機の代表例の一つであるパチンコ機やアレンジボール機では、機内にセットされる遊技盤に、各種の入賞口や案内車が配置される一方、図柄表示装置や入賞装置、ランプ類、その他スピーカ等の電気部品が配置されている。また、前記遊技機の裏側には、各種遊技球の球通路等が形成される機構セット盤が設けられており、該機構セット盤に、前記各電気的部品を制御する制御基板を基板ケースに収容した制御装置が配設される。ここで、前記制御装置としては、例えば遊技機全体を制御するメイン制御装置や前記各電気部品に対応して設けられるサブ制御装置、電源の供給制御を行なう電源制御装置等の各種制御装置が設けられている。そして、前記各制御装置が対応の電気部品を制御することで、前記図柄表示装置で図柄変動ゲームを行なうと共に、該図柄変動ゲームに合わせて、前記ランプ類を発光させたりスピーカから効果音を出したりして、所要の遊技を行なうようになっている。
【０００３】
ところで、前記制御装置をそのまま機構セット盤に配設すると、他の制御装置等から発生するノイズに起因して当該制御装置に誤作動が生ずることがあることから、各制御装置に対してノイズ対策を行なう必要がある。このような制御装置に対するノイズ対策としては、例えば特許文献１に開示されるように、前記制御装置の裏面(機構セット盤と対向する面)に、導電性材料で形成したシールド板を配設してノイズを遮断するよう構成し、制御装置の誤作動を防止するものが知られている。なお、前記シールド板は、前記制御装置に対して着脱または回動可能に取付けてある。すなわち、特許文献１に開示された制御装置では、前記シールド板を取付けるだけの簡単な構成で制御装置の誤作動の防止を実現し得ると共に、必要に応じてシールド板を着脱または回動するだけで、制御装置内部の制御基板を外部から目視して制御基板の異常を確認し得るようになっている。
【特許文献１】特開平１１−２６７３２３号公報
【発明の開示】
【発明が解決しようとする課題】
【０００４】
ここで、前記シールド板は、機種変更等により新しい制御装置に交換する必要が生じた場合であっても、該制御装置の外形形状に変更がない限りはそのまま使用可能な部材である。しかしながら、前記シールド板は前記制御装置に直接取付けられるため、該制御装置を交換した場合には、該シールド板も交換されてしまい、廃棄物の増加を招くと共に、コストが増大する要因ともなる。なお、前記シールド板を前記制御装置に着脱可能に設けた場合には、シールド板を取外して新たな制御装置に付け替えるようにすれば、前述した問題が生ずることはない。しかし、この場合には、煩雑な付け替え作業が必要なため、機種変更等の作業効率が低下する。また、元の制御装置から取外したシールド板を、新たな制御装置に取付けるまでは保管しなければならず、その保管スペースを確保する必要が生ずると共に、場合によっては取外したシールド板を紛失する虞がある。
【０００５】
また、機種変更に際しては、制御装置の外形形状が変更されることもあり、この場合には元の制御装置に取付けられていたシールド板のサイズが合わなくなるため、該シールド板の形状も変更しなければならず、コストが嵩む問題が指摘される。更に、前記シールド板を制御装置に取付ける構成では、該シールド板の形状を制御装置の形状に合わせて形成する必要があり、該シールド板の形状が限定される。
そこで、本発明は、機種変更等に際し、シールド板を交換することなく共通で使用可能な遊技機を提供することを目的とする。
【課題を解決するための手段】
【０００６】
前記課題を克服し、所期の目的を達成するため、本発明に係る遊技機は、
機裏側に設けた機構セット盤(28)に各種電気部品の制御装置(20)を着脱自在に配設し、ノイズ発生源(21)からのノイズによる該制御装置(20)の誤作動を、ノイズ遮断用の金属製シールド板(57)により防止するようにした遊技機において、
前記シールド板(57)を合成樹脂製の固定部材(38)に配設すると共に、
前記機構セット盤(28)に形成した取付部(32)に前記固定部材(38)を取付けることで、前記シールド板(57)を前記制御装置(20)とノイズ発生源(21)との間に位置させるよう構成したことを特徴とする。
【０００７】
また、前記ノイズ発生源(21)は、前記制御装置(20)と少なくとも一部が前後に重なる位置関係で対向配置された第２の制御装置(21)であってもよい。
【０００８】
更に、前記固定部材(38)には、一方の側部から突出する第１突出部(42)と、他方の側部に設けられて該他方の側部から突出する第１位置および該他方の側部から突出しない第２位置に変位し、常には付勢手段(55)により第１位置で保持される第２突出部(52)とが設けられ、
前記取付部(32)は、前記第１突出部(42)を挿入可能で、該第１突出部(42)を係止する第１孔部(32a)と、前記第２突出部(52)を挿入可能で、該第２突出部(52)を係止する第２孔部(32b)とを有し、
前記固定部材(38)の第１突出部(42)を前記取付部(32)の第１孔部(32a)に挿入した状態で、前記第２位置に変位させた第２突出部(52)を前記第２孔部(32b)に臨ませ、この状態で第２突出部(52)を第１位置に変位させて第２孔部(32b)に挿入することで、前記固定部材(38)が取付部(32)に取付けられるよう構成することもできる。
【０００９】
更にまた、前記機構セット盤(28)は、後方に向けて突出形成された第１の係合部(34)を有し、
前記制御装置(20)は、一方の側部に形成されて前記第１の係合部(34)と係脱自在な第２の係合部(23a)と、他方の側部に突出形成された第３突出部(24)とを備え、
前記固定部材(38)には、前記制御装置(20)の第３突出部(24)を挿入可能で、該第３突出部(24)を係止する第３孔部(43)が形成されて、
前記固定部材(38)を前記機構セット盤(28)の取付部(32)に取付けた状態で、前記第３突出部(24)を前記第３孔部(43)に挿入すると共に、前記第１の係合部(34)と第２の係合部(23a)とを係合することで、前記制御装置(20)を機構セット盤(28)に配設するようにしてもよい。
【発明の効果】
【００１０】
本発明の請求項１に係る遊技機によれば、シールド板を機構セット盤に取付けるよう構成したことで、機種変更や制御装置の故障・損傷時等に制御装置だけを交換することができる。すなわち、シールド板はそのまま使用できるから、制御装置を交換するに際して、廃棄物やコストが増大することはない。また、制御装置の交換・メンテナンス時等に、該制御装置からシールド板を取外す必要がないから、作業を簡単に行ない得ると共に、シールド板を紛失することもない。更に、制御装置の外形形状を変更した場合であっても、シールド板の形状を変更する必要はなく、この場合にも廃棄物やコストを抑制し得る利点がある。そして、シールド板を固定部材に配設することで、該シールド板を補強して当該シールド板の変形等を防止し得る。また、金属製のシールド板のみで所要の剛性を確保する場合には重量が嵩む欠点があるが、前記固定部材を合成樹脂で形成することで、全体の軽量化を図り得る利点もある。
【００１１】
また、請求項２に係る遊技機によれば、前記制御装置と、ノイズ発生源としての第２の制御装置との間に、前記シールド板が位置するから、両制御装置を重ねて配置した場合であってもノイズによる制御装置の誤作動が起こるのを防止し得る。同様に、前記制御装置に起因して発生したノイズも前記シールド板で遮断されるから、該ノイズによって前記第２の制御装置に誤作動が発生するのを防止できる。更に、制御装置と第２の制御装置とを前後に重ねて配置することで、機構セット盤の面方向にスペース的な余裕が生ずるから、該機構セット盤への他部材の設置の自由度を向上させ得る。従って、各種部材を機構セット盤に余裕を持って配置させ得ると共に、従来にない新たな部材の設置が可能となる。
【００１２】
更に、請求項３に係る遊技機によれば、固定部材に形成した第１突出部を取付部の第１孔部に挿入した状態で、該固定部材に設けた第２突出部を第２位置に変位させ、該第２突出部を取付部の第２孔部に臨ませたもとで当該第２突出部を第１位置に変位して第２孔部に挿入することで、固定部材を取付部に取付けることができる。このように、工具等を用いることなく固定部材を機構セット盤の取付部に取付けることができるから、作業性が向上し、作業を短時間で行なうことが可能となる。
【００１３】
そして、請求項４に係る遊技機によれば、機構セット盤の取付部に固定部材を取付けた状態で、制御装置に形成した第３突出部を固定部材の第３孔部に挿入すると共に、機構セット盤に形成した第１の係合部と制御装置に設けた第２の係合部とを係合させることで、該制御装置を機構セット盤に取付け得る。すなわち、工具等を用いることなく制御装置を着脱し得るから、作業性が向上し、作業を短時間で行なうことが可能となる。
【発明を実施するための最良の形態】
【００１４】
次に、本発明に係る遊技機につき、好適な実施例を挙げて、添付図面を参照しながら、以下詳細に説明する。なお実施例では、遊技機としてパチンコ球を遊技媒体として使用する一般的なパチンコ機を例にして説明する。なお、以下の説明においては、左・右とは、図１に示すようにパチンコ機１０を背面側から視た状態で指称する。
【実施例】
【００１５】
先ず実施例に係るパチンコ機１０の概略構成について、図１を参照して説明する。パチンコ機１０は、外郭をなす外枠１１の開口前面側に対して中枠１２が、パチンコ機１０に設けた連結支持手段、施錠手段(何れも図示せず)を利用して着脱および開放可能に組み付けられている。そして、前記中枠１２には、所要の遊技領域を構成した遊技盤(図示せず)が着脱交換可能に取付けられると共に、該中枠１２の前面側にガラス板を備えた前枠１３を開閉可能に組み付けて遊技盤を透視保護している、また、前記中枠１２の下方位置にはパチンコ球を貯留し得る上球皿や下球皿(何れも図示せず)が配設されると共に、遊技者の操作に応じて上球皿に貯留したパチンコ球を前記遊技盤に向けて発射させるハンドルユニット１６を設けてある。更に、前記中枠１２の裏側には、パチンコ機１０の全体を制御する主制御装置(制御装置)２０や、各種電気部品等に供給する電源を制御する電源制御装置(第２の制御装置)２１、その他払出制御装置２６等の各種制御装置を取付けた機構セット盤２８が装備される。すなわち、実施例に係るパチンコ機１０は、遊技者が前記ハンドルユニット１６を操作して前記上球皿のパチンコ球を発射することにより、前記主制御装置２０の制御に基づいた所定の遊技が行なわれるようになっている。
【００１６】
なお、パチンコ機１０に配設される各種制御装置２０,２１,２６は、図示しない制御基板を透明樹脂製の保護ケース２２内に収容して構成されており、該保護ケース２２の外部から制御基板を視認し得るようになっている。なお、前記主制御装置２０の保護ケース２２内に収容される制御基板は、パチンコ機１０で行なう遊技内容を特定するものであって、遊技盤等を交換して遊技内容を変更する所謂機種変更時には交換を要する専用基板である。これに対して、前記電源制御装置２１の保護ケース２２内に収容される制御基板は、各制御装置への電源供給を制御するものであって、異なる機種同士でも使用でき、機種変更時に交換を要しない共用基板である。
【００１７】
ここで、前記主制御装置２０の保護ケース２２には、図２または図３に示すように、その右側縁部(一方の側縁部)の上下方向に離間する２箇所に、該側縁部からケース外方に向けて突出する支持部２３,２３が形成されると共に、該支持部２３,２３の夫々に、前後方向に貫通する(第２の係合部)係合孔２３ａ,２３ａが穿設されている。なお、図２および図３において、上側に位置する支持部２３および係合孔２３ａのみ図示してある。また、前記主制御装置２０の保護ケース２２における左側縁部(他方の側縁部)には、上下方向に所定長さに亘って該他方の側縁部から左側に向けて突出する突出片(第３突出部)２４が形成されている。
【００１８】
また、前記機構セット盤２８は、前記中枠１２の外郭形状に略整合する矩形状に形成されて、その略中央に開設した窓口２８ａを介して前記遊技盤の裏面がパチンコ機１０の後方に臨むように構成されている(図１参照)。なお、前記機構セット盤２８の上側には、外部の球供給設備から供給されるパチンコ球を貯留する球タンク２９が配設されており、該球タンク２９のパチンコ球を、前記窓口２８ａの右側部に設けた球通路３０を介して前記上球皿や下球皿に供給するようになっている。そして、前記機構セット盤２８における前記窓口２８ａの下側に、後方に開口するよう前側に凹み、前記電源制御装置２１を収容する収容凹部３１を形成してある(図１〜図３参照)。前記収容凹部３１の開口寸法は、前記電源制御装置２１における機構セット盤２８との対向面２１ａと略整合する大きさで、かつ該収容凹部３１の前後方向の奥行き寸法は、該電源制御装置２１の前後方向の長さ寸法より大きく設定される。すなわち、図３および図７〜図１０に示すように、電源制御装置２１を収容凹部３１内に完全に収容し得るようになっている。なお、実施例では、前記電源制御装置２１は、従来公知の係合手段やネジ止め等により前記収容凹部３１内に着脱自在に取付けられている。
【００１９】
また、図３に示すように、前記機構セット盤２８における前記収容凹部３１の近傍には、ノイズ遮断用の金属製のシールド板５７を取付けた固定部材３８を着脱自在に取付ける取付部３２が形成され、該取付部３２に固定部材３８を取付けることにより、該収容凹部３１の後方開口を塞いでいる。そして、前記固定部材３８の後側に前記主制御装置２０が配置されて、前記収容凹部３１に配設した電源制御装置２１と主制御装置２０とが固定部材３８(シールド板５７)を介して前後に重なる位置関係で位置するようになっている(図１または図１０参照)。すなわち、前記シールド板５７と機構セット盤２８との間に、機種変更時に交換を要しない前記電源制御装置２１が位置すると共に、該シールド板５７における機構セット盤２８とは反対側(すなわちパチンコ機１０の外側)に、変更時に交換を要する前記主制御装置２０が位置している。
【００２０】
前記機構セット盤２８に形成される前記取付部３２は、該機構セット盤２８の収容凹部３１を画成する左壁部３１ａの後端部に右方向(収容凹部３１側)に開口するよう形成された第１孔部３２ａ,３２ａと、該機構セット盤２８の収容凹部３１を画成する右壁部３１ｂの後端部に左方向(収容凹部３１側)に開口するよう形成された第２孔部３２ｂ,３２ｂとから構成される。そして、前記第１孔部３２ａ,３２ａの夫々に、前記固定部材３８の後述する第１支持片(第１突出部)４２,４２を挿入係止すると共に、前記第２孔部３２ｂ,３２ｂの夫々に、該固定部材３８の後述する第２支持片(第２突出部)５２,５２を挿入係止することで、前記取付部３２に固定部材３８が取付けられるようになっている。なお、前記取付部３２を介して固定部材３８を取付けた際に、該固定部材３８が収容凹部３１に配設した前記電源制御装置２１と干渉しない位置に各第１および第２孔部３２ａ,３２ｂを形成してある。
【００２１】
次に、前記固定部材３８について、図３〜図６を参照して説明する。前記固定部材３８は、前記主制御装置２０における電源制御装置２１との対向面２０ａの全面を覆う大きさに形成した平板部４０と、該平板部４０の右側部(他方の側部)に前記機構セット盤２８側に凹むよう形成した凹部４１内に配設されたスライド部材５１と、該凹部４１内に配設されてスライド部材５１を付勢するバネやゴム等の付勢手段５５(図６参照)とから基本的に構成される。ここで、図５に示すように、前記平板部４０の上下の縁部および左縁部には、前記シールド板５７の板面より前記主制御装置２０側に突出する上下および左突条部４０ａ,４０ｂ,４０ｃが形成されており、機構セット盤２８に主制御装置２０を取付けた際に、該上下および左突条部４０ａ,４０ｂ,４０ｃの夫々が主制御装置２０を囲繞するようになっている。すなわち、前記左突条部４０ｃと交差する方向に延在する前記上下の突条部４０ａ,４０ｂの離間間隔は、前記主制御装置２０の上下方向の幅寸法より僅かに大きく設定されている。
【００２２】
そして、前記平板部４０の左側部(一方の側部)における上下に離間する位置には、該左側部から外方(左方向)に突出して、前記取付部３２の第１孔部３２ａ,３２ａに挿入可能な一対の前記第１支持片４２,４２が形成されている。すなわち、前記各第１支持片４２を第１孔部３２ａに挿入することで、前記固定部材３８の左側部を所定位置で保持するよう構成されている。また、前記左突条部４０ｃにおける上下方向の略中央位置には、平板部４０側に開口するよう固定孔(第３孔部)４３が形成されて、該固定孔４３に前記主制御装置２０の突出片２４を係脱自在に挿入し得るよう構成される。更に、前記平板部４０と左突条部４０ｃとの連接部位には、前記固定孔４３を挟む位置に係止孔４４,４４が形成されると共に、該平板部４０における右側部近傍には、前記凹部４１を挟む２箇所にネジ孔４５,４５が形成されている。
【００２３】
また、前記平板部４０の右側部における前記凹部４１と対応する位置に、該凹部４１が右方向に開口するよう第１切欠部４６が形成されると共に、該凹部４１における前記機構セット盤２８との対向面部に、左右方向に延在するスリット４１ａ,４１ａ(図５に一方のスリット４１ａのみ図示)が上下に離間して形成されている。なお、前記平板部４０における右側部の上下の端部近傍には、該右側部から外方(右方向)に突出するフランジ部４７,４７が形成され、固定部材３８を取付部３２に取付けた際に、該フランジ部４７,４７が前記収容凹部３１の右壁部３１ｂの後端面３１ｃに当接して固定部材３８の前方移動を規制するようになっている。
【００２４】
前記スライド部材５１は、図５に示すように、前記凹部４１に収容可能な平板状に形成されて、前記スリット４１ａ,４１ａの夫々と対応する位置に、前記取付部３２の第２孔部３２ｂ,３２ｂに挿入可能な前記第２支持片(第２突出部)５２,５２が形成されると共に、該スライド部材５１における前記第１切欠部４６と対応する位置には、該第１切欠部４６を介して凹部４１の外側(平板部４０の右側)に突出する操作片５３が形成されている。すなわち、前記各第２支持片５２がスリット４１ａに挿通されて機構セット盤２８側に突出すると共に、前記操作片５３が前記第１切欠部４６を介して平板部４０の右側に臨むようになっている。なお、前記第２支持片５２,５２の夫々は、前記スライド部材５１を凹部４１に配設した状態で、その端部が右方向を指向するよう形成される。
【００２５】
ここで、前記スライド部材５１の左右方向の幅寸法は、前記凹部４１の左右方向の幅寸法より小さく設定され、該スライド部材５１の第２支持片５２,５２が前記平板部４０の右側部から突出する第１位置と、該第２支持片５２,５２が平板部４０の右側部から突出しない第２位置との間を変位するよう構成される。そして、前記凹部４１内に配設した前記付勢手段５５により、前記スライド部材５１を常には第１位置に保持し、前記操作片５３を平板部４０側(左方向)に押圧操作することで、該付勢手段５５の弾性力に抗してスライド部材５１を第１位置から第２位置へ変位させ得るようになっている。すなわち、実施例の固定部材３８は、前記各第１支持片４２を第１孔部３２ａに挿入し、かつ前記第２支持片５２(スライド部材５１)を第２位置に変位させた状態で、該第２支持片５２を前記第２孔部３２ｂに対向するように臨ませ、この状態で第２支持片５２,５２を第１位置に変位させることにより当該第２支持片５２,５２を第２孔部３２ｂ,３２ｂに挿入し得るよう構成されている。このように、前記第２支持片５２,５２の夫々を前記第２孔部３２ｂ,３２ｂの夫々に挿入することで、前記固定部材３８の右側部を所定位置で保持するようになっている。
【００２６】
図４または図５に示すように、前記固定部材３８に配設される前記シールド板５７は、該固定部材３８の平板部４０と略整合する大きさに形成される。すなわち、前記シールド板５７は、前記主制御装置２０における電源制御装置２１との対向面２０ａの全面を覆う大きさに形成されている。なお、図２に示すように、前記電源制御装置２１は、前記主制御装置２０より小型に形成されており、該電源制御装置２１と主制御装置２０との間に前記シールド板５７を配置することで、両装置２０,２１を遮蔽し得るようになっている。そして、前記シールド板５７の左側縁に、前記平板部４０の係止孔４４,４４に挿入可能な係止片５８,５８が形成されると共に、該シールド板５７の右側部側には、該平板部４０のネジ孔４５,４５と整列する通孔６０,６０を形成してある。すなわち、前記シールド板５７の各係止片５８を固定部材３８の対応する係止孔４４に挿入したもとで、該シールド板５７の各通孔６０に挿入したネジ４９を固定部材３８の各ネジ孔４５に螺挿することで、当該シールド板５７が固定部材３８に固定される。このとき、前記凹部４１における主制御装置２０側の開口が前記シールド板５７により閉成されて、該凹部４１に配設した前記スライド部材５１および付勢手段５５が脱落しないようになっている。なお、前記シールド板５７における前記平板部４０の固定孔４３と対応する位置には、第２切欠部５９が形成されており、該シールド板５７を固定部材３８に取付けた際に、固定孔４３を閉成しないよう構成してある。
【００２７】
次に、前記主制御装置２０の機構セット盤２８に対する固定構造につき説明する。図２に示すように、前記収容凹部３１の右壁部３１ｂには、後方に突出するよう第１および第２の係合突部３４,３５が形成される。なお、実施例では、前記第１および第２の係合突部３４,３５は上下方向に離間して４箇所に形成されている。そして、最も上下に離間する２つの第１の係合突部(第１の係合部)３４,３４を、前記主制御装置２０の係合孔２３ａ,２３ａに挿入することで該主制御装置２０が機構セット盤２８に取付けられるようになっており、その間に位置する２つの第２の係合突部３５,３５は前記払出制御装置２６を機構セット盤２８に取付けるのに供されている。
【００２８】
前記第１および第２の係合突部３４,３５の夫々は、前記機構セット盤２８の背面２８ｂにおける前記収容凹部３１の近傍(収容凹部３１の右側)に、上下に離間して対向すると共に上下方向に弾性変形可能で、後方に向けて突出形成された一対のフック３６,３６からなり、該フック３６,３６における互いに対向しない面に爪部３６ａ,３６ａを形成してある。なお、前記各第１の係合突部３４を対応する係合孔２３ａに挿入した際に、該第１の係合突部３４の各爪部３６ａ,３６ａが前記支持部２３の後端面に当接するようになっており、該支持部２３,２３の後端面に爪部３６ａ,３６ａが当接することで、前記主制御装置２０の後方移動を規制している。すなわち、前記固定部材３８を前記機構セット盤２８の取付部３２に取付けた状態で、前記主制御装置２０の突出片２４を固定部材３８の固定孔４３と係合させ、この状態で主制御装置２０の係合孔２３ａ,２３ａと前記機構セット盤２８の第１の係合突部３４,３４とを係合させることで、当該主制御装置２０が機構セット盤２８に取付けられる。
【００２９】
〔実施例の作用〕
次に、前述した実施例に係る遊技機の作用につき以下説明する。前記パチンコ機１０は、電源を投入すると、前記電源制御装置２１が各制御装置２０,２６等の電気部品に適切な電流値・電圧値に変換して、これら制御装置２０,２６等に電源を供給する。そして、遊技者が前記ハンドルユニット１６を操作して遊技盤上にパチンコ球を打出すことで所要の遊技が展開される。
【００３０】
ところで、前記電源制御装置２１は電流値や電圧値を変更するため、ノイズが発生し易い。このため、前記主制御装置２０を電源制御装置２１と前後に重なり合う位置関係で配置すると、そのままでは電源制御装置２１からのノイズにより主制御装置２０に誤作動等が生ずる虞がある。そこで、実施例に係るパチンコ機１０では、ノイズ発生源としての前記電源制御装置２１と、該電源制御装置２１からのノイズから保護すべき前記主制御装置２０との間に、固定部材３８を介して金属製のシールド板５７を配置するよう構成したから、該シールド板５７により電源制御装置２１からのノイズを遮断でき、該主制御装置２０に誤作動等が発生するのを防止し得る。更に、前記シールド板５７を前記電源制御装置２１の後面の略全面を覆う形状に形成したから、該電源制御装置２１からのノイズは全面的に遮断され、前記主制御装置２０をノイズから好適に保護し得る。同様に、前記主制御装置２０からもノイズが発生する虞もあるが、該主制御装置２０に起因して発生したノイズも前記シールド板５７で遮断し得るから、該ノイズによって前記電源制御装置２１に誤作動が発生するのを防止できる。
【００３１】
なお、前記機構セット盤２８の背面２８ｂに、前記主制御装置２０と電源制御装置２１とを並べて配置した場合には、該機構セット盤２８に対する設置面積が大きくなり、他部材の設置スペースが狭くなってしまう。そこで、実施例のように、前記主制御装置２０と電源制御装置２１とを前後に重なるよう配置すれば、機構セット盤２８の背面２８ｂ(面方向)にスペース的な余裕が生ずるから、該機構セット盤２８への他部材の設置の自由度が向上する。従って、機構セット盤２８に対して余裕を持って各種部材を配置し得ると共に、従来にない新たな部材の設置も可能となる。
【００３２】
ところで、パチンコ機１０の全体を制御している主制御装置２０は特に不正改造等を防止する必要があり、その保護ケース２２を透明樹脂材で形成して内部を目視し得るよう構成され、該保護ケース２２に内蔵した制御基板に回路パターン等の異常がないか否かの検査が行なわれる。ここで、実施例では、前記機構セット盤２８に形成した取付部３２に前記シールド板５７を配設した固定部材３８を取付けて、該固定部材３８に形成した固定孔４３に主制御装置２０の突出片２４を挿入すると共に、機構セット盤２８に形成した係合突部３４,３４と主制御装置２０の係合孔２３ａ,２３ａとを係合することで、当該主制御装置２０を機構セット盤２８に取付けるよう構成してある。
【００３３】
すなわち、前記係合突部３４,３４と係合孔２３ａ,２３ａとの係合を解除したもとで、前記突出片２４を固定孔４３から抜き出すことで、前記主制御装置２０を独立して機構セット盤２８から取外すことができ、該主制御装置２０における制御基板の裏面(取付状態では機構セット盤２８に対向する面)の確認を行なうことができる。従って、従来のように前記シールド板５７を主制御装置２０に着脱または回動可能に取付ける構成の場合には、該主制御装置２０の制御基板を確認するに際して、主制御装置２０を機構セット盤２８(取付部３２)から取外した後に、シールド板５７を取外したり回動させて主制御装置２０の内部を目視する必要があるのに対し、前述した実施例に係る構成によれば、主制御装置２０を単に機構セット盤２８から取外すだけでよいから、作業性が向上し、制御基板の検査作業を迅速かつ簡単に行ない得る利点がある。
【００３４】
また、前述した機種変更を行なう場合や、前記主制御装置２０に故障・損傷等の不具合が発生した場合には、該主制御装置２０の交換・メンテナンス作業を行なう必要が生ずる。ここで、実施例では、前記固定部材３８(シールド板５７)と機構セット盤２８との間(すなわち収容凹部３１)に前記電源制御装置２１を配置すると共に、該固定部材３８(シールド板５７)における機構セット盤２８とは反対側に前記主制御装置２０を配置し、更にシールド板５７を主制御装置２０とは別部材として機構セット盤２８に取付けている。このため、前記主制御装置２０の交換・メンテナンス作業等を行なう場合であっても、前記機構セット盤２８から固定部材３８(シールド板５７)を取外すことなく主制御装置２０のみを取外せばよいから、機種変更時の作業性の向上を図り得ると共に、固定部材３８(シールド板５７)を紛失することもない。
【００３５】
更に、固定部材３８(シールド板５７)は前記機構セット盤２８に取付けたままなので、主制御装置２０を交換しても固定部材３８(シールド板５７)はそのまま使用でき、廃棄物やコストが増大するのを防止し得る。更にまた、前記シールド板５７を主制御装置２０とは別体として取扱い得るよう構成したことで、機種変更等に際して主制御装置２０の外形形状を変更した場合であっても、該主制御装置２０を前記固定孔４３および係合突部３４を介して取付けられる形状に形成すれば、固定部材３８(シールド板５７)の形状を変更する必要はないから、この場合にも廃棄物やコストを抑制し得る利点がある。
【００３６】
次に、前記固定部材３８および主制御装置２０の機構セット盤２８への取付方法について説明する。前記シールド板５７を固定した固定部材３８の第１支持片４２,４２を、前記機構セット盤２８に形成した第１孔部３２ａ,３２ａに夫々挿入する。そして、この状態で、前記固定部材３８におけるスライド部材５１の操作片５３を押圧操作して、固定部材３８の第２支持片５２,５２(スライド部材５１)を付勢手段５５の弾性力に抗して第１位置から第２位置に変位させる(図７参照)。そして、図８に示すように、前記スライド部材５１の第２支持片５２,５２を前記機構セット盤２８の第２孔部３２ｂ,３２ｂに対向する位置に臨ませた後に、該スライド部材５１を第２位置から第１位置に変位させることで、該第２支持片５２,５２が対応する第２孔部３２ｂ,３２ｂに挿入される(図９参照)。このとき、前記固定部材３８のフランジ部４７,４７が前記収容凹部３１の右壁部３１ｂの後端面３１ｃに当接する。すなわち、前記第１孔部３２ａ,３２ａに挿入した第１支持片４２,４２により固定部材３８の左側部側を保持し、前記フランジ部４７,４７が収容凹部３１の右壁部３１ｂの後端面３１ｃ当接して固定部材３８を位置規制すると共に、前記第２孔部３２ｂ,３２ｂに挿入した第２支持片５２,５２により固定部材３８の右側部を保持することで、機構セット盤２８の取付部３２に固定部材３８が取付けられる。
【００３７】
そして、前記取付部３２に固定部材３８を取付けた状態で、該固定部材３８の固定孔４３に前記主制御装置２０の突出片２４を挿入すると共に(図９参照)、前記機構セット盤２８の係合突部３４,３４を主制御装置２０の係合孔２３ａ,２３ａに挿入する(図１０参照)。このとき、前記各係合突部３４の爪部３６ａ,３６ａが前記係合孔２３ａに当接して前記フック３６,３６が相互に近接する方向に弾性変形すると共に、該爪部３６ａ,３６ａが係合孔２３ａから抜け出ると、該フック３６,３６が弾性復帰して当該爪部３６ａ,３６ａが係合孔２３ａを形成した支持部２３の後端面に係合して、前記主制御装置２０が機構セット盤２８に取付けられる(図１０参照)。
【００３８】
なお、前記機構セット盤２８から主制御装置２０を取外すに際しては、前記係合突部３４(フック３６,３６)を弾性変形させて、両係合突部３４,３４と主制御装置２０の係合孔２３ａ,２３ａとの係合を解除すると共に、前記突出片２４を前記固定部材３８の固定孔４３から抜き出せばよい。また、前記固定部材３８を前記取付部３２から取外すに際しては、前記スライド部材５１の操作片５３を押圧操作して該スライド部材５１を第１位置から第２位置に変位させて、前記第２支持片５２,５２と前記第２孔部３２ｂ,３２ｂとの係合を解除したもとで、前記第１支持片４２,４２を前記第１孔部３２ａ,３２ａから抜き出すことで、当該固定部材３８を取付部３２から取外すことができる。すなわち、実施例に係るパチンコ機１０では、前記主制御装置２０および固定部材３８の着脱作業に際して、工具等を使用する必要がないから、作業性が向上し、各部材の着脱作業を短時間で行なうことが可能となる。
【００３９】
更に、実施例のように、前記シールド板５７を固定部材３８に配設するよう構成したことで、該シールド板５７を補強して変形等を防止し得る。また、シールド板５７のみで所要の剛性を確保する場合には、その重量が嵩む欠点があるが、該シールド板５７を配設する固定部材３８を合成樹脂で形成したことで、全体の軽量化を図り得る利点がある。そして、前記固定部材３８に、前記シールド板５７の縁部を囲繞するよう上下および左突条部４０ａ,４０ｂ,４０ｃを形成したことで、該固定部材３８の剛性をより向上し得ると共に、該突条部４０ａ,４０ｂ,４０ｃによりシールド板５７の縁部が機構セット盤２８に配設される各種構成部品や配線に接触するのを防止して、該各種構成部品や配線の損傷を効果的に防止することができる。また、前記上下の突条部４０ａ,４０ｂの離間間隔を、前記主制御装置２０の上下方向の幅寸法より僅かに大きく設定したことで、該主制御装置２０の突出片２４を固定部材３８の固定孔４３に挿入するに際し、該上下の突条部４０ａ,４０ｂがガイドとして機能する。このように、前記上下の突条部４０ａ,４０ｂにより前記主制御装置２０をガイドすることで、該主制御装置２０の突出片２４を固定部材３８の固定孔４３に容易に挿入させ得るから、該主制御装置２０を機構セット盤２８に対して簡単に取付け得る利点がある。
【００４０】
〔変更例〕
なお、本発明に係る遊技機としては、前述した実施例のものに限られるものではなく、種々の変更が可能である。例えば、前記固定部材の形状および大きさは、任意に変更することができ、該固定部材に配設したシールド板が制御装置におけるノイズ発生源との対向面の全面を覆うよう構成すれば、該ノイズ発生源からのノイズによる制御装置の誤作動を防止することが可能である。また、前記機構セット盤の取付部への固定部材の取付構造に関しても実施例のものに限られず、該固定部材を取付部に着脱自在に取付け得るよう構成すればよい。例えば、前記取付部および固定部材の何れか一方に支軸を形成し、他方に該支軸を挿通する軸孔を形成して、該取付部に対して固定部材を着脱および回動自在に枢支するよう構成しても、前述した実施例と同様の作用効果を得ることができる。また同様に、前記制御装置を機構セット盤(取付部)に対して着脱および回動自在に配設することも可能である。このように、制御装置を回動自在に枢支するよう構成した場合には、実施例に係る構成と較べて、該制御装置を回動するだけで保護ケース内の制御基板の裏側を確認することができる利点がある。
【００４１】
また、実施例では、ノイズ発生源として電源制御装置を挙げたが、これに限られるものではない。例えば、ノイズは、遊技球同士の接触や遊技球の球通路の通過、各種制御装置、その他電気部品等から発生する可能性があり、これらノイズを発生する可能性があるものがノイズ発生源に該当し得る。また、実施例では、ノイズ発生源から保護する制御装置として主制御装置を挙げたが、これに限らず遊技機に配設される各種制御装置であればノイズから保護する必要があり、これら制御装置に対しても適宜ノイズ発生源との間にシールド板を配置するようにすれば、より確実に遊技機の誤作動等の不具合が防止される。
【００４２】
そして、制御装置内に収容する専用基板としては、遊技機全体を制御する制御基板を例にしたが、これに限られるものでなく、機種変更時にそれに併せて交換する必要のある基板であれば何れの制御基板であってもよく、具体的には図柄制御基板、音声制御基板、ランプ制御基板等が挙げられる。また、制御装置内に収容する共用基板としては、遊技機の電源供給を制御する制御基板を例にしたが、これに限られるものでなく、機種変更時であっても特に交換する必要がなく、機種の如何を問わず共用することが可能な基板であればよく、具体的には発射制御基板、払出制御基板等が挙げられる。なお、実施例では、遊技機としてパチンコ機を採用したが、アレンジボール機やスロットマシン機等であってもよく、遊技機の裏側に設けた機構セット盤に各種電気部品の制御装置を着脱自在に配設したものであれば、何れの遊技機も採用し得る。
【００４３】
〔付記〕
なお、本発明に係る遊技機の具体的構成としては、以下のような限定が可能である。
(A) 請求項１〜４の何れかに記載の遊技機に関し、前記固定部材(38)に、前記シールド板(57)の縁部を囲繞するよう突条部(40a,40b,40c)を形成して、該シールド板(57)の外周縁が前記機構セット盤(28)に配設される各種構成部品に接触しないよう構成してもよい。
このように、前記固定部材に、前記シールド板の縁部を囲繞するよう突条部を形成することで、該シールド板の縁部が前記機構セット盤に配設される各種構成部品や配線に接触するのを防止し得るから、該各種構成部品や配線の損傷を効果的に防止し得る。
【００４４】
(B) 請求項４記載の遊技機に関し、前記固定部材(38)に、前記シールド板(57)の縁部を囲繞し、かつ該シールド板(57)の板面より制御装置(20)側に突出する突条部(40a,40b,40c)を形成すると共に、
前記固定部材(38)における前記第３孔部(43)を形成した側部と交差する方向に延在する一対の突条部(40a,40b)の離間間隔を、前記制御装置(20)の対応する幅寸法より僅かに大きく設定して、該制御装置(20)の第３突出部(24)を固定部材(38)の第３孔部(43)に挿入するに際して、前記突条部(40a,40b)がガイドとして機能するよう構成することも可能である。
このように、前記固定部材に、前記シールド板の縁部を囲繞するよう突条部を形成することで、該シールド板の縁部が前記機構セット盤に配設される各種構成部品や配線に接触するのを防止し得るから、該各種構成部品や配線の損傷を効果的に防止し得る。また、前記突条部により前記制御装置を案内することで、該制御装置の第３突出部を固定部材の第３孔部に容易に挿入させ得るから、該制御装置の取付作業を簡単に行ない得る。
【図面の簡単な説明】
【００４５】
【図１】実施例に係るパチンコ機の背面を示す斜視図である。
【図２】実施例に係る機構セット盤、電源制御装置、固定部材、主制御装置の背面を示す分解斜視図である。
【図３】実施例に係る機構セット盤から固定部材および主制御装置を取外した状態を示す平断面図である。
【図４】実施例に係る取付部材を示す正面図である。
【図５】実施例に係る固定部材を示す分解斜視図である。
【図６】図４における固定部材のＡ−Ａ線断面図である。
【図７】実施例に係る機構セット盤の取付部に、固定部材を取付ける状態を示す平断面図であって、固定部材の第１支持片を取付部の第１孔部に挿入した状態を示す。
【図８】実施例に係る機構セット盤の取付部に、固定部材を取付ける状態を示す平断面図であって、固定部材の第２支持片を第２位置に変位させた状態で、取付部の第２孔部に臨ませた状態を示す。
【図９】実施例に係る機構セット盤に、主制御装置を取付ける状態を示す平断面図であって、主制御装置の突出片を固定部材の固定孔に挿入した状態を示す。
【図１０】実施例に係る機構セット盤に、主制御装置を取付ける状態を示す平断面図であって、機構セット盤の係合突部と主制御装置の係合孔とを係合させた状態を示す。
【符号の説明】
【００４６】
２０  主制御装置(制御装置)
２１  電源制御装置(ノイズ発生源、第２の制御装置)
２３ａ  係合孔(第２の係合部)
２４  突出片(第３突出部)
２８  機構セット盤
３２  取付部
３２ａ  第１孔部
３２ｂ  第２孔部
３４  係合突部(第１の係合部)
３８  固定部材
４２  第１支持片(第１突出部)
４３  固定孔(第３孔部)
５２  第２支持片(第２突出部)
５５  付勢手段
５７  シールド板
【図１】
2006025995.tif 000003
【図２】
2006025995.tif 000004
【図３】
2006025995.tif 000005
【図４】
2006025995.tif 000006
【図５】
2006025995.tif 000007
【図６】
2006025995.tif 000008
【図７】
2006025995.tif 000009
【図８】
2006025995.tif 000010
【図９】
2006025995.tif 000011
【図１０】
2006025995.tif 000012